【手続補正書】
【提出日】平成24年7月4日(2012.7.4)
【手続補正１】
【補正対象書類名】明細書
【補正対象項目名】０００１
【補正方法】変更
【補正の内容】
【０００１】
発明の背景
関連出願との相互参照
本願は２００８年７月８日に出願された「熱可塑性材用の熱的および気圧的に制御された供給システムを用いて成形および反応性重合化を行なうための方法および装置」と題された米国特許出願連続番号第６１／０７８，８８４号の利益を主張する２００９年７月８日に出願された同じ発明の名称の国際特許出願連続番号第ＰＣＴ／ＵＳ２００９／０４９９２８号の利益を主張し、以下に完全に記載されているように、それらの全体が引用により援用される。
【手続補正２】
【補正対象書類名】特許請求の範囲
【補正対象項目名】全文
【補正方法】変更
【補正の内容】
【特許請求の範囲】
【請求項１】
熱可塑性材用の熱的および気圧的に制御された供給システムを用いて成形および反応性重合化を行なうためのシステムであって、
熱的におよび気圧的に調整された成分をストリームで正確に運ぶ供給ユニットと、
混合処理において重合化を行なうために、供給ユニットからのストリームの成分を混合および熱的に制御する混合ユニットと、
混合ユニットからのストリームを加圧する加圧ユニットと、
加圧ユニットからの加圧されたストリームをフィルタ処理するフィルタリングユニットと、
ストリームをペレット化するペレット化ユニットとを備える、システム。
【請求項２】
フィルタリングユニットからのフィルタストリームを混合する第２の混合ユニットと、
第２の混合ユニットからのストリームを加圧する第２の加圧ユニットと、
第２の加圧ユニットからの加圧されたストリームをフィルタ処理する第２のフィルタリングユニットと、
第２のフィルタリングユニットからのフィルタ処理されたストリームをペレット化するペレット化ユニットとをさらに備える、請求項１に記載のシステム。
【請求項３】
ペレット化されたストリームのペレットを乾燥させる乾燥ユニットをさらに備える、請求項１に記載のシステム。
【請求項４】
ペレット化されたストリームのペレットを結晶化するペレット結晶化ユニットをさらに備える、請求項１に記載のシステム。
【請求項５】
熱可塑性材用の熱的および気圧的に制御された供給システムを用いて成形および反応性重合化を行なうためのシステムであって、
熱的におよび気圧的に調整された成分をストリームで正確に運ぶ供給ユニットを備え、供給ユニットは、
ストリームを調整するための少なくとも２つの貯留タンク、
供給ユニットを通るストリームを規制および測定するための不活性ガスおよび真空アセンブリ、
回動可能アーム上に位置付けられる混合ヘッド、
供給ユニット搬送ラインおよび反応性ストリームの少なくとも混合ヘッドを洗浄する洗浄システム、および
各貯留タンク用の独立したストリーム温度制御、
混合処理において重合化を行なうために、供給ユニットからのストリームの成分を混合および熱的に制御する混合ユニット、
供給ユニットから出力され、混合ユニットに入るストリームの適切な位置付けを確実にする位置付けシステムを含み、ストリームは供給ユニットの混合ヘッドから混合ユニットの押出機のスロートに与えられ、位置付けシステムは、ストリームを供給ユニットから混合ユニットに運ぶときに、混合ヘッドが押出機のスロート上に確実に位置付けられるよう、混合ヘッドに近接するセンサを含み、さらに
混合ユニットからのストリームを加圧する加圧ユニット、
加圧ユニットからの加圧されたストリームをフィルタ処理するフィルタリングユニットを含み、フィルタリングユニットは少なくとも２つのフィルタを含み、第１のフィルタは加圧されたストリームをフィルタ処理するためのオンラインフィルタであり、第２のフィルタは第１のフィルタをオフラインにする場合に使用される待機フィルタであり、加圧されたストリームはフィルタ処理のために第１のフィルタに方向付けられ、第１のフィルタを処理システムから外す必要がある場合に、加圧されたストリームはフィルタ処理のために第２のフィルタを通って運ばれることができ、第２のフィルタは待機の際、温度が制御され、第２のフィルタは第１のフィルタとすぐに代用されるための動作特性を有し、第１のフィルタが外されるとオンラインフィルタとなり、さらに
フィルタ処理されたストリームをペレット化するペレット化ユニット、および
ペレット化されたストリームのペレットを乾燥させる乾燥ユニットを含む、システム。
【請求項６】
処理システムであって、
熱的におよび気圧的に調整された成分をストリームで正確に運ぶ供給ユニットと、
混合処理において重合化を行なうために、ストリームの成分を混合する混合ユニットと、
混合されたストリームをペレット化するペレット化ユニットとを備える、処理システム。
【請求項７】
供給ユニットは、ストリームを調整するための１つ以上の貯留タンクを含む、請求項６に記載の処理システム。
【請求項８】
１つ以上の貯留タンクの少なくとも１つは、ストリームが流れる穿孔された角度のついた流体規制装置を含み、穿孔された角度のついた流体規制装置は１つ以上の貯留タンクの少なくとも１つの貯留タンクの底面の方向にテーパ状に減少し、穿孔された角度のついた流体規制装置の穿孔は、過剰なストリームが穿孔された角度のついた流体規制装置から排出されるよう位置付けられ、傾斜度穿孔された角度のついた流体規制装置は入来ストリームのある程度の集積を可能にしつつ、そのストリームの流れをテーパ状に、１つ以上の貯留タンクの少なくとも１つの貯留タンクの壁に沿って流体膜として方向付ける、請求項７に記載の処理システム。
【請求項９】
１つ以上の貯留タンクの少なくとも１つは、ストリームレベル制御を含む、請求項７に記載の処理システム。
【請求項１０】
ストリームレベル制御は、不活性ガスおよび真空アセンブリを含む、請求項９に記載の処理システム。
【請求項１１】
１つ以上の貯留タンクの少なくとも１つは、ストリーム温度制御を含む、請求項７に記載の処理システム。
【請求項１２】
ストリーム温度制御は、貯留タンク全体の均一な温度を達成するために、貯留タンクにおけるストリームの十分な運動を保持する撹拌システムを含む、請求項１１に記載の処理システム。
【請求項１３】
ストリーム温度制御は、ストリーム温度を監視するための複数の熱電対を含む、請求項１１に記載の処理システム。
【請求項１４】
ストリーム温度制御は、貯留タンク近くの熱ストリームを循環させる循環システムを含む、請求項１１に記載の処理システム。
【請求項１５】
ストリーム温度制御はさらに偏向システムを含み、循環システムはブロワーを含み、加熱ストリームはブロワーからの加熱空気であり、偏向システムは複数のバフルを含む、請求項１４に記載の処理システム。
【請求項１６】
混合ユニットからの混合ストリームを受入れ、混合ストリームを加圧する加圧ユニットをさらに備える、請求項６に記載の処理システム。
【請求項１７】
加圧ユニットからの加圧された混合ストリームを受入れ、加圧された混合ストリームをフィルタ処理するフィルタユニットをさらに備える、請求項１６に記載の処理システム。
【請求項１８】
反応性処理システムであって、
熱的におよび気圧的に調整された反応性成分を反応性ストリームで正確に運ぶ供給ユニットと、
反応性混合処理において重合化を行なうために、反応性ストリームの反応性成分を混合する混合ユニットと、
混合された反応性ストリームをペレット化するペレット化ユニットとを備える、反応性処理システム。
【請求項１９】
供給ユニットは
反応性ストリームを調整するための少なくとも２つの貯留タンクと、
供給ユニットを通る反応性ストリームを規制および測定するための不活性ガスおよび真空アセンブリと、
回動可能アーム上に位置付けられる混合ヘッドと、
供給ユニット搬送ラインおよび反応性ストリームの少なくとも混合ヘッドを洗浄する洗浄システムと、
各貯留タンク用に独立した反応性ストリーム温度制御とを含む、請求項１８に記載の反応性処理システム。
【請求項２０】
処理システムであって、
熱的におよび気圧的に調整された成分をストリームで正確に運ぶ供給ユニットと、
混合処理において重合化を行なうために、ストリームの成分を混合する混合ユニットと、
供給ユニットから出て混合ユニットに入るストリームの正しい位置付けを確実にする位置付けシステムと、
混合されたストリームをペレット化するペレット化ユニットとを備える、処理システム。
【請求項２１】
ストリームは供給ユニットの混合ヘッドから、混合ユニットの押出機のスロートに与えられ、
位置付けシステムは、ストリームを供給ユニットから混合ユニットに運ぶときに、押出機のスロート上の混合ヘッドの位置を確実にするために、混合ヘッドに近接するセンサを含む、請求項２０に記載の処理システム。
【請求項２２】
センサは、混合ヘッド上の位置センサである、請求項２１に記載の処理システム。
【請求項２３】
センサはリミットスイッチである、請求項２１に記載の処理システム。
【請求項２４】
処理システムであって、
熱的におよび気圧的に調整された成分をストリームで正確に運ぶ供給ユニットと、
混合処理において重合化を行なうために、ストリームの成分を混合する混合ユニットと、
混合されたストリームをペレット化するペレット化ユニットとを備え、
ストリームは供給ユニットの混合ヘッドからオーバフローシュラウドに与えられて、混合ユニットの押出機へのストリーム制御を与える、処理システム。
【請求項２５】
混合ヘッドは回動可能アーム上に位置付けられる、請求項２４に記載の処理システム。
【請求項２６】
処理システムは、供給ユニットから出て混合ユニットに入るストリームの正しい位置付けを確実にする位置付けシステムをさらに備え、
位置付けシステムは、ストリームを供給ユニットから混合ユニットに運ぶときに、オーバフローシュラウド上の混合ヘッドの位置を確実にするために、混合ヘッドに近接するセンサを含み、混合ヘッドは回動可能アームを介して正しい位置に移動可能である、請求項２５に記載の処理システム。
【請求項２７】
処理システムであって、
熱的におよび気圧的に調整された成分をストリームで正確に運ぶ供給ユニットと、
混合処理において重合化を行なうために、ストリームの成分を混合する混合ユニットと、
ストリームをフィルタ処理するフィルタリングユニットと
混合されたストリームをペレット化するペレット化ユニットとを備え、
フィルタリングユニットは少なくとも２つのフィルタを含み、第１のフィルタはストリームをフィルタ処理するためのオンラインフィルタであり、第２のフィルタは第１のフィルタをオフラインにする場合に使用される待機フィルタであり、ストリームはフィルタ処理のために第１のフィルタに方向付けられ、第１のフィルタを処理システムから外す必要がある場合に、ストリームはフィルタ処理のために第２のフィルタを通って運ばれる、処理システム。
【請求項２８】
第２のフィルタは待機の際、温度が制御され、第２のフィルタは第１のフィルタとすぐに代用されるための動作特性を有し、第１のフィルタが外されるとオンラインフィルタとなる、請求項２７に記載の処理システム。